Podtech/llm-jp-corpus-v4-ja_patent huggingface dataset:
(57)【特許請求の範囲】
【請求項１】
一方のフランジに対応する平坦な端面を有する一方の壁部材と、他方のフランジに対応する平坦な端面を有する他方の壁部材と、両壁部材の間に外周縁を固着したダイヤフラムと、一方の壁部材とダイヤフラムの間に封入した膨脹媒体と、ダイヤフラムに取り付けた弁部材と、一方の壁部材とダイヤフラムと弁部材を貫通して開けた導入路と、他方の壁部材に開けた導出路とを具備する温度制御機素を、外部の連結手段によって配管の一対のフランジ間に挟んで固定し、膨脹媒体の膨脹収縮によるダイヤフラムの変位で弁部材を駆動して導入路と導出路を連通あるいは遮断することを特徴とする熱応動式スチ―ムトラップ。
【発明の詳細な説明】
【０００１】
【発明の属する技術分野】
本発明は、蒸気と復水で加熱冷却されその温度に応じて膨脹収縮する媒体を含む温度制御機素を用いて、各種蒸気使用機器や蒸気配管で発生する復水を自動的に系外へ排出する熱応動式スチ―ムトラップに関し、特に、既設配管の一対のフランジ間に挟んで固定される構造の熱応動式スチ―ムトラップに関する。
【０００２】
【従来の技術】
一対のフランジ間に挟んで固定される熱応動式スチ―ムトラップは、特開平５−３３２４９５号公報に示されている。当該公報から理解されるように、弁ケ―シングは、一方のフランジに対応する平坦な端面及び導入路を有する一方の端部壁と、他方のフランジに対応する平坦な端面及び導出路を有する他方の端部壁と、両端部壁の間の周壁とから形成され、弁ケ―シング内に、壁部材とダイヤフラムと膨脹媒体と弁部材等を有する温度制御機素が配置され、弁ケ―シングが外部の連結手段によって配管の一対のフランジ間に挟んで固定されるものである。
【０００３】
【発明が解決しようとする課題】
上記従来のものでは、弁ケ―シングと温度制御機素が必要であり、部品点数が多く、必然的に外形が大きくならざるを得ない問題があった。従って、本発明の技術的課題は、配管の一対のフランジ間に挟んで固定される構造の熱応動式スチ―ムトラップにおいて、部品点数を減少して小形化を図ることである。
【０００４】
【課題を解決するための手段】
上記の技術的課題を解決するために講じた本発明の技術的手段は、一方のフランジに対応する平坦な端面を有する一方の壁部材と、他方のフランジに対応する平坦な端面を有する他方の壁部材と、両壁部材の間に外周縁を固着したダイヤフラムと、一方の壁部材とダイヤフラムの間に封入した膨脹媒体と、ダイヤフラムに取り付けた弁部材と、一方の壁部材とダイヤフラムと弁部材を貫通して開けた導入路と、他方の壁部材に開けた導出路とを具備する温度制御機素を、外部の連結手段によって配管の一対のフランジ間に挟んで固定し、膨脹媒体の膨脹収縮によるダイヤフラムの変位で弁部材を駆動して導入路と導出路を連通あるいは遮断することを特徴とする熱応動式スチ―ムトラップにある。
【０００５】
【発明の実施の形態】
本発明の熱応動式スチ―ムトラップは、温度制御機素を構成する部材にフランジに対応する平坦な端面や導入路あるいは導出路を形成したものであるので、温度制御機素を直接配管の一対のフランジ間に挟んで固定することができる。そのため、部品点数を減少して小形にできる。
【０００６】
【実施例】
上記の技術的手段の具体例を示す実施例を説明する（図１参照）。
図１において、本発明の熱応動式スチ―ムトラップ１の温度制御機素２は、既設配管３，４のフランジ５，６の間にガスケット７，８を介して配置され、ボルト９とナット１０からなる連結手段によって挟持される。
【０００７】
温度制御機素２は、中央開口１１と注入口１２を有する上壁部材１３と、中央開口１４を有するダイヤフラム１５と、中央開口１６を有する弁部材１７と、導出路１８を有する下壁部材１９と、上壁部材１３とダイヤフラム１５の間に封入した膨脹媒体２０と、注入口１２を密封する栓部材２１とで構成される。上壁部材１３の上面にはフランジ５に対応する平坦な端面２２が形成され、下壁部材１９の下面にはフランジ６に対応する平坦な端面２３が形成されている。
【０００８】
ダイヤフラム１５と弁部材１７が夫々の中央開口１４，１６を並べて溶接（参照番号２４）される。また上壁部材１３の中央開口１１の縁とダイヤフラム１５の中央開口１４の縁が溶接（参照番号２５）され、中央開口１１，１４，１６によって上壁部材１３とダイヤフラム１５と弁部材１７を貫通する導入路２６が形成される。上壁部材１３とダイヤフラム１５と下壁部材１９の夫々の外周縁が溶接（参照番号２７）される。上壁部材１３とダイヤフラム１５との間の密閉空間に注入口１２から膨脹媒体２０が注入され、栓部材２１で塞がれる。膨脹媒体２０は、水、水より沸点の低い液体、或いはそれらの混合物で形成される。参照番号２８は下壁部材１９に設けられた芯出しフランジである。
【０００９】
配管３側の温度が低下してくると膨脹媒体２０は収縮する。するとダイヤフラム１５が上方に変位し、弁部材１７が下壁部材１９から離座して導出路１８を開口し、導入路２６と導出路１８を連通する。これにより、復水を配管４側へ排出する。復水の排出によって配管３側の温度が上昇すると膨脹媒体２０は膨脹する。するとダイヤフラム１５が下方に変位し、弁部材１７が下壁部材１９に着座して導出路１８を閉口し、導入路２６と導出路１８を遮断する。これにより、蒸気の漏出を防止する。
【００１０】
【発明の効果】
本発明は下記の特有の効果を生じる。
上記のように本発明によれば、温度制御機素を構成する部材にフランジに対応する平坦な端面や導入路あるいは導出路を形成することにより、既設配管の一対のフランジ間に挟んで固定される構造の熱応動式スチ―ムトラップにおいて、部品点数を減少して小形化を図ることができるという優れた効果を生じる。
【図面の簡単な説明】
【図１】本発明の熱応動式スチ―ムトラップの実施例の断面図
【符号の説明】
１  熱応動式スチ―ムトラップ
２  温度制御機素
３，４  既設配管
５，６  既設配管のフランジ
９  ボルト
１０  ナット
１３  上壁部材
１５  ダイヤフラム
１７  弁部材
１８  導出路
１９  下壁部材
２０  膨脹媒体
２２  上壁部材の端面
２３  下壁部材の端面
２６  導入路
【図１】
0003808566.tif 000002
(57)【特許請求の範囲】
【請求項１】
腰部で前後に分離したスカート部分を有し、前後の腰部上端のベルト部分に、それぞれ前紐と後紐が取り付けられているものであって、該ベルト部分の芯地が、前後いずれも、外側が内側より高くなるように、縦断面で段差がある状態に形成されており、しかも、該芯地の外側と内側が実質的に同一幅であること、及びスカート部分の上端が、この芯地の外側と内側の間に位置するように縫製されていることを特徴とする女性用袴。
【発明の詳細な説明】
【０００１】
【発明の属する技術分野】
本発明は、女性用袴に関するものである。
【０００２】
【従来の技術】
最近、女性用袴は、大学の卒業式や謝恩会等で着用されることが多くなってきた。この場合、若い女性は、草履を履くのが苦手であるので、ブーツを履いて、袴を着用することがある。
【０００３】
しかし、袴は、一般に草履や下駄を履いて着用するように縫製されているので、ブーツを履いた場合には、袴の丈が合わないので、腰のベルト部分を外側に折り曲げて、丈を短くして着用するようになる。
【０００４】
女性用袴は、着物の上に着用するものであり、その腰部は、外観上、非常に目立つ場所であり、このように腰のベルト部分を折り曲げて着用すると、腰部上端に折り曲げ部分が顕著に現れ、非常に見苦しいものとなる。
【０００５】
【発明が解決しようとする課題】
本発明は、このような女性用袴を、腰のベルト部分を外側に折り曲げて、丈を短くしてしても、非常に外観よく着用できるものとすることを課題とする。
【０００６】
【課題を解決するための手段】
本発明では、腰のベルト部分の芯を外側と内側で段差があるように形成することにすることによって、上記課題を解決した。即ち、本発明では、腰部で前後に分離したスカート部分を有し、前後の腰部上端のベルト部分に、それぞれ前紐と後紐が取り付けられている女性用袴において、ベルト部分の芯地を、前後いずれも、外側が内側より高くなるように、縦断面で段差がある状態に形成し、しかも該芯地の外側と内側を実質的に同一幅とし、スカート部分の上端を、この芯地の外側と内側の間に位置するように縫製していることを特徴とするものである。
【０００７】
かかる本発明の袴は、正常な状態で、腰のベルト部分は、外側の芯地が上方に突出しているので、内側の芯地の存在は、外観上全く問題とならず、非常に端正な着こなしが可能となるものである。しかも、ブーツ等を履くため、腰のベルト部分を外側に折り曲げて、丈を短くして着用しても、この場合には、内側の芯地の下端が、袴のベルト部分の上端であるかのように表面に出てくるが、外側の芯地は下端が、内側の芯地の下端より凹んでいるため、スカート部分の上端は、内側の芯地の下端（折り曲げたベルト部分の表面上端に位置する）と外側の芯地の下端（折り曲げたベルト部分の裏面上端で、芯地の下端より一段低く位置する）の間で、内側の芯地の下端（折り曲げたベルト部分の表面上端）の影に隠れた状態で存在するため、表面に現れず、ベルト部分が通常に縫製されたと同様、美しい外観で、着用することができるのである。
【０００８】
本発明においてベルト部分の芯地は、一枚の芯地を外側と内側で段差があるように裁断又は成形してもよいが、通常、実質的に同一幅の二枚の芯地を上下にずらした状態で一体に装着使用するのがよい。なお、外側と内側の段差は、２〜１５mm程度、４〜１０mmであるのが好ましい。
【０００９】
二枚の芯地を下端部のみ、間にスカート部分の上端を挟んだ状態で縫着し、上端部は、二枚の芯地が離れた状態にしておくのが好ましい。この場合、前紐又は後紐となる布帛をベルト布として、二枚の芯地を上方が輪となるように被覆し、その下端部で、前後の芯地を別々に被覆し、その間にスカート部分の上端が位置するようにするのがよい。
【００１０】
なお、本発明の袴は、通常の女性用袴と同様、前と後でベルト（芯地）の幅が異なってもよい。
【００１１】
【発明の実施の形態】
次に、図面に示す実施例に従って、本発明をさらに詳しく説明する。
図１の例は、スカート部分１の腰部上端のベルト部分２に、それぞれ前紐３と後紐４が取り付けられているものであって、前のベルト部分２が４cm幅、後のベルト部分２が６cm幅に形成されているものであり、ベルト部分２は、前後いずれも、外側が内側より高くなるように、二枚の芯地５ａ、５ｂを約５mmの段差で上下にずらして装着しているものである（図２参照）。
【００１２】
ベルト部分２では、前紐３と後紐４を構成する布がベルト布６として使用されているが、このベルト布６は、二枚の芯地５ａ、５ｂの上部を覆って、それぞれの下端部で、各芯地５ａ、５ｂの下端を別々に覆うように、内部に折り曲げ、その間にスカート部分１の上端を挿入して、縫着されている（図２のＡ参照）。なお、この例では、芯地５ａ、５ｂの上端部は、互いに縫着されていない。
【００１３】
この袴は、ブーツを履いて着用する場合など、丈を短くして着用した場合には、図２のＢのように、ベルト部分２を外側に折り曲げて着用することができる。この際、スカート部分１の縫着部が上方に位置するようになるが、内側の芯地５ｂの下端が、該縫着部より上方に突出し、袴のベルト部分２の上端であるかのように表面に現れるため、袴は、ベルトを折り曲げて着用したとは全く感知されることなく、非常に美しく着用できるものとなる。
【００１４】
【発明の効果】
本発明の袴は、ベルト部分の芯地が、外側が高く、内側が低くなるように、段差があるように形成されているため、正常状態で着用する場合も、ベルト部分を外側に折り曲げて着用する場合も、常に、スカート部分の縫着部や折り曲げ部分を感知っせることなく、ベルト部分の上端が一枚の芯地からなるものの如く、美しく着用できるものとなる。
【図面の簡単な説明】
【図１】本発明の一例を示す斜視図である。
【図２】図１の袴のベルト部分の断面図であり、Ａは正常な状態、Ｂはベルト部分を外側に折り曲げた状態を示す。
【符号の説明】
１    スカート部分
２    ベルト部分
３    前紐
４    後紐
５ａ  芯地
５ｂ  芯地
６    ベルト布
【図１】
0003808549.tif 000002
【図２】
0003808549.tif 000003
(57)【特許請求の範囲】
【請求項１】
火葬台車（４）を搬送するキャリア台車（３）または収骨室に設けている収骨ステーションを構成する枠体（２）などの遺骨安置体（１）の上面に、該遺骨安置体（１）の長手方向に対して直交して載置するトレイ（６）からなり、該トレイ（６）に骨壺を載置する安置部（７）を備えると共に、遺骨安置体（１）の上面をその長手方向に向かって走行する上車輪（８）と、遺骨安置体（１）の側面を同じく長手方向に向かって走行する横車輪（９）とを設けていることを特徴とする収骨装置。
【発明の詳細な説明】
【０００１】
【発明の属する技術分野】
本発明は、キャリア台車に載せた火葬台車上から収骨する場合、あるいは火葬台車を載せたキャリア台車を収骨室内に枠体で囲まれている収骨ステーションに入れて収骨する場合などに使用する収骨装置に関する。
【０００２】
【従来の技術】
従来、収骨室に収骨ステーションが無い葬祭場では、キャリア台車で運ばれて来た火葬台車から直接収骨されるものであり、また収骨ステーションが設置してある場合には、火葬台車を載置したキャリア台車を収骨ステーションを構成する枠体内に挿入し、枠体に設けた冷却装置を駆動して収骨が行われるものであり、何れの場合でも、骨壺は一般に火葬台車のほぼ中央部に安置して行われるものである。
【０００３】
【発明が解決しようとする課題】
ところで、以上のように収骨する際には、一般に係員が、遺体の足下の遺骨から胸そして頭骨へと順次収骨するように指示するが、収骨者がキャリア台車あるいは収骨ステーションの枠体の周りに立ち、そのまま収骨されることが多く、係員の指示に従われず、雑然と収骨されることが多くあった。
【０００４】
本発明は以上の問題を解消して、係員の指示が徹底され整然とした状態で収骨ができる収骨装置を提供することにある。
【０００５】
【課題を解決するための手段】
本発明による解決手段は、火葬台車を搬送するキャリア台車または収骨室に設けている収骨ステーションを構成する枠体などの遺骨安置体の上面に、該遺骨安置体の長手方向に対して直交して載置するトレイからなり、該トレイに骨壺を載置する安置部を備えると共に、遺骨安置体の上面をその長手方向に向かって走行する上車輪と、遺骨安置体の側面を同じく長手方向に向かって走行する横車輪とを設けていることを特徴とする。
【０００６】
【作用】
トレイには上車輪と横車輪とを備えているから、トレイが遺骨安置体の上面を逸脱することなく摺動することができるから、トレイを収骨する位置へ移動して行くことにより、トレイの安置部に載置した骨壺へ順序良く納めることができるようになる。
【０００７】
【発明の実施の形態】
本発明による実施形態は、遺骨安置体（キャリア台車または収骨ステーションの枠体を指す）上に、該遺骨安置体の長手方向に向かって摺動するトレイによって構成するもので、該トレイに骨壺を安定して載せる安置部と、遺骨安置体の上面を走行する上車輪と、逸脱を防止する横車輪とを設けるものである。
【０００８】
【実施例】
更に本発明を具体的に説明すると、遺骨安置体１として収骨ステーションに設けた例を図１に示しているように、収骨ステーションは平面より見てコ字状をなす一方を開放した枠体２で形成されているもので、該枠体２の内周面に、キャリア台車３上に載置された火葬台車４の上面より発散する熱気を吸収する吸込口５を有するものである。
【０００９】
上記収骨ステーションからなる遺骨安置体１の上面に沿って摺動するトレイ６は短冊状に細長い板体で形成してあって、その長手方向が枠体２の長手方向と直行するように載置するもので、トレイ６の表面中央部に骨壺Ａを安定して不動状態に載置できる安置部７を、トレイ６の表面より陥没した凹部によって、あるいはトレイ６の表面に固着した枠部によって設けている。
【００１０】
更に、トレイ６が枠体２より逸脱することなく長手方向に安定して摺動できるように、トレイ６の裏面両端部に枠体２の上面を走行する上車輪８を設け、且つ枠体２の内面に沿って走行する横車輪９を垂設したものである。
【００１１】
一方、キャリア台車３を遺骨安置体１として用いる場合のトレイ６は、前記例のトレイとほぼ同様であるが、トレイ６の両端部にキャリア台車３の外側壁１０の外面を覆う垂下片１１を設け、同様に安置部（図示省略）、上車輪８及び横車輪９が設けてあり、横車輪９は前記垂下片１１に取り付けたものである。
【００１２】
以上の構造であるから、火葬済みの火葬台車４をキャリア台車３に載せて収骨室へ搬送し、そこで収骨が行われる際、収骨ステーションの枠体２内にキャリア台車３を挿入し、安置部７に骨壺Ａを載置しているトレイ６を遺骨の足下へ移動することにより、骨壺Ａが置かれている周囲の遺骨から収骨され、トレイ６を順次頭部へと移動することにより整然とした状態で収骨がなされるものである。
【００１３】
また前述の収骨ステーションが無い場合には、キャリア台車３に既にトレイ６を備えておくもので、そのトレイ６を前述と同様に移動しながら収骨を行うものである。
【００１４】
【発明の効果】
本発明による収骨装置によれば、遺骨安置体の上面にトレイを遺骨安置体の長手方向に沿って摺動自在に設け、トレイに設けた安置部に骨壺を載置したものであって、トレイを収骨する位置へ移動することができることから、従来からの慣例に従って遺骨を順序良く収骨することができるようになるものである。
【図面の簡単な説明】
【図１】本発明による収骨装置を遺骨安置体に設置した状態で示す斜視図である。
【図２】同じく平面図である。
【図３】トレイの裏面図である。
【図４】本発明による収骨装置の類例を遺骨安置体に設置した状態で示す断面図である。
【符号の説明】
１  遺骨安置体
２  枠体
３  キャリア台車
４  火葬台車
６  トレイ
７  安置部
８  上車輪
９  横車輪
【図１】
0003808560.tif 000002
【図２】
0003808560.tif 000003
【図３】
0003808560.tif 000004
【図４】
0003808560.tif 000005
(57)【特許請求の範囲】
【請求項１】
(1)苦味を有する薬物、(2)ケイ酸カルシウム、無水ケイ酸水加物、無水ケイ酸または軽質無水ケイ酸含有ヒドロキシプロピルセルロース、および(3)乳酸カルシウムを含有する粒状固形製剤。
【請求項２】
苦味を有する薬物とケイ酸類を混合し、次に乳酸カルシウム溶液を添加して造粒する粒状固形製剤の製造方法。
【請求項３】
ケイ酸類が、ケイ酸カルシウム、無水ケイ酸水加物、無水ケイ酸または軽質無水ケイ酸含有ヒドロキシプロピルセルロースである請求項２に記載の製造方法。
【発明の詳細な説明】
【０００１】
【産業上の利用分野】
本発明は、粒状固形製剤及び粒状固形製剤の製造方法に関する。
【０００２】
【従来の技術】
不快な味を有する薬剤において、不快な味をマスキングする方法は種々知られている。その中でも調剤の容易さや服用性の良さから、顆粒剤あるいは細粒剤などの粒状固形製剤にマスキングを施した製剤が増えてきた。一般に、良く用いられるマスキング方法としては、ワックスや水不溶性高分子物質などの口中で溶解しにくい物質を粒状製剤にコーティングする方法がある。
一方、特開昭６３−２４３０３５号には、ケイ酸カルシウム等のケイ酸類に薬物を吸着させ苦味を軽減する方法が開示されている。
【０００３】
【本発明が解決しようとする問題点】
しかし、従来の方法によりマスキングを施した製剤は、服用した時に口中でザラつき感があり、特に高齢者では、歯間に粒状物がつまり不快感がある等の問題があった。また、有機溶媒を使用することが多いため、その残留の危険性や、作業者の健康を害するなどの可能性がある。
【０００４】
【課題を解決するための手段】
本発明者らは、上記問題点を解決すべく鋭意検討した結果、以下に示す構成により問題を解決できることを見いだし本発明を完成した。
即ち、本発明は、薬物、ケイ酸類及び乳酸カルシウムを含有する粒状固形製剤である。また、本発明は、薬物とケイ酸類を混合し、次に乳酸カルシウムを添加する粒状固形製剤の製造方法である。
【０００５】
本発明によると、苦味等の不快な味を有する薬物をマスキングし、服用しやすくなるが、この服用性の改善が本発明の目的である。
本発明にかかる薬物は、不快な味、特に苦味や刺激を有する薬物であれば特に限定されない。例えば、苦味を有する薬物としては、臭化プロパンテリン、塩酸アゼラスチン、アテノロール、カフェイン等を挙げることができる。
本発明におけるケイ酸類は、特に限定されないが、ケイ酸カルシウム、無水ケイ酸水加物または無水ケイ酸等をその例として挙げることができる。
本発明における乳酸カルシウムは、結晶形、水和物等にかかわらず、いずれも用いることができ、例えば、無水乳酸カルシウム、乳酸カルシウム５水和物等を挙げることができる。
本発明においては、ケイ酸類に代えてセルロース類もしくは、ケイ酸類とセルロース類の混合物を用いることもできる。
【０００６】
本発明にかかる粒状固形製剤は、薬物とケイ酸類を混合し、次に乳酸カルシウムを添加して製造することができる。薬物とケイ酸類の混合は、単に混合するだけで良く、特開昭６３−２４３０３５号に開示されるような吸着操作は必要ない。混合に際しては、乳糖等の通常使用される賦形剤を添加することができる。
【０００７】
乳酸カルシウムの添加は、通常は水に溶解して行うが、必要により、水溶性有機溶媒を加えてもよく、溶解時に加温してもよい。添加は、通常は薬物とケイ酸類の混合物を攪拌しながら徐々に行う。
【０００８】
本発明において、薬物と乳酸カルシウムの割合は、通常は、乳酸カルシウム１重量部に対し、薬物が８重量部以下であり、好ましくは、３重量部以下である。薬物とケイ酸類との割合は特に限定されないが、通常は、ケイ酸類１重量部に対し薬物が３重量部以下であり、好ましくは１重量部以下である。
また、乳酸カルシウムの添加に際しては、通常乳酸カルシウム１重量部に対し、水を１〜７重量部、好ましくは３〜５重量部使用し、５０℃以上に加温することが好ましい。
【０００９】
本発明における、粒状固形製剤の剤形は特に限定されず、散剤、顆粒剤、細粒剤等とすることができる。製剤化に際しては、必要に応じて更に白糖等の甘味剤と造粒し、整粒することもできる。また、本発明により得られた粒状固形製剤を錠剤、カプセル剤等とすることもできる。
【００１０】
【効果】
本発明にかかる粒状固形製剤は、苦味、刺激等の薬物の不快な味が効果的にマスキングされているため、子供や、老人にも服用しやすくなるという効果を奏する。また、服用した時に口中でのザラつき感が少ないため、歯間に詰まりにくく、特に入れ歯を使用している老人に有用である。更に、有機溶媒を使用する必要がないため、安全性に優れるだけでなく、ワックスや水不溶性高分子などを使用する方法に比べて設備の洗浄も容易である。
【００１１】
【実施例】
次に実施例を挙げて本発明を更に詳細に説明するが、本発明はこれら実施例に限定されるものではない。
【００１２】
［実施例１］
混合練合機（スーパーミキサーSMV-20型）にアテノロール２５０ｇとケイ酸カルシウム（徳山曹達株式会社製、商品名フローライトＲ）２５０ｇを入れ混合する。日本薬局方乳酸カルシウム（昭和化工株式会社製）２５０ｇを精製水９００ｇに入れ、加温溶解する。乳酸カルシウム溶液を５５℃に冷却後、アテノロールとケイ酸カルシウムの混合物に添加し、造粒した後乾燥して粒状固形製剤を得た
【００１３】
［試験例１］
実施例１で得られた粉末、及び以下に示す比較例１または２で得られた粉末を用いて、被験者５名により官能試験を行った。試験方法は、粉末１５０ｍｇを口中に含み表１の基準にしたがって評価を行った。
【００１４】
比較例１  混合連合機にアテノロール２５０ｇと乳糖２５０ｇおよび日本薬局方乳酸カルシウム２５０ｇを入れ混合する。精製水２５０ｇを５５℃に加温した後、アテノロールと乳糖および乳酸カルシウムの混合物に添加した後乾燥して粒状固形製剤を得た。
【００１５】
比較例２  混合練合機にアテノロール２５０ｇとケイ酸カルシウム２５０ｇを入れ混合する。乳糖２５０ｇを精製水９００ｇに入れ、加温溶解する。乳糖溶液を５５℃に冷却後、アテノロールとケイ酸カルシウムの混合物に添加し、造粒した後、乾燥して粒状固形製剤を得た。
結果を表２に示した。
【００１６】
【表１】
0003731904.tif 000002
【００１７】
【表２】
0003731904.tif 000003
【００１８】
表２より本発明にかかる粒状固形製剤が優れた苦みマスキング効果を示すことが明らかである。
(57)【特許請求の範囲】
【請求項１】
支持線（１Ａ）とケーブル（１Ｂ）とを並行に押出機（２）のクロスヘッド（３）に送り込む工程と、、前記支持線（１Ａ）の押出孔（３１）と前記ケーブル（１Ｂ）の押出孔（３２）とを各線の長手方向と直交する方向に連通させる連結部押出孔（３３）を遮蔽ブロック（４）によって所望の周期で周期的に開閉する工程と、前記遮蔽ブロック（４）の開放期間においては前記支持線（１Ａ）と前記ケーブル（１Ｂ）の送り込み速度を同等に保持する工程とを有し、前記支持線（１Ａ）とケーブル（１Ｂ）との間を前記周期によって定まる長手方向間隔を持つ連結部（１Ｃ）によって連結するようにしたことを特徴とする並行線条体の押出成形方法。
【発明の詳細な説明】
【０００１】
【発明の属する技術分野】
この発明は並行線条体の押出成形方法、特に並行する２本の線条体を押出被覆しつつこの両線の間に、長手方向に適宜間隔をもって連結部を間欠的に押出成形する、並行線条体の押出成形方法に関するものである。
【０００２】
【従来の技術】
表題の並行線条体の好適な一例としては、図１に示すようにケーブル１Ｂが引張強度を保つための支持線１Ａと一体となってこれに吊られている形の自己支持型ケーブルがあるが、この自己支持型ケーブルでは、▲１▼一方の線条体であるケーブル１Ｂが外部からの引張力を避けるために別の線条体である支持線１Ａよりやや長くたるんだ状態となっていること、また▲２▼支持線１Ａとケーブル１Ｂとは長手方向に間欠的に形成される連結部１Ｃによって連結され、残余の長さ部分では空気抵抗を軽減するために空隙の窓部１１となっていることが必要である。
【０００３】
このような自己支持型ケーブルを製造する方法としては、並行する２本の線条体である支持線１Ａとケーブル１Ｂを別々に押出被覆した後、長手方向に所望の間隔をもって連結部１Ｃを接着するなどして取り付ける方法や、これらの並行する２本の線条体１Ａ，１Ｂと共に長手方向に連続した連結部１Ｃを同時に押出成形し、後に窓部１１を切りこむ方法があるが、いずれも上記▲１▼の条件の達成が困難である。
【０００４】
【発明が解決しようとする課題】
したがって表題の並行線条体の押出成形の一例である自己支持型ケーブルの製造方法においては、上述の▲１▼、▲２▼の２条件をいかに効果的に達成するかが課題なる。
【０００５】
【課題を解決するための手段】
この発明は上述の課題を解決するためになされたものであって、請求項１の発明によるその解決手段は、支持線とケーブルとを並行に押出機のクロスヘッドに送り込む工程と、、前記支持線の押出孔と前記ケーブルの押出孔とを各線の長手方向と直交する方向に連通させる連結部押出孔を遮蔽ブロックによって所望の周期で周期的に開閉する工程と、前記遮蔽ブロックの開放期間においては前記支持線と前記ケーブルの送り込み速度を同等に保持する工程とを有し、前記支持線とケーブルとの間を前記周期によって定まる長手方向間隔を持つ連結部によって連結するようにしたことを特徴とする並行線条体の押出成形方法である。
【０００６】
【発明の実施の形態】
図１および図２を参照してこの発明の方法を実施するために使用する押出機２のクロスヘッド３を説明する。クロスヘッド３の内部には、図示してはいないが支持線１Ａおよびケーブル１Ｂをそれぞれ押出被覆するためのニップルおよびダイスが設けられ、外面には支持線押出孔３１およびケーブル３２が並んで開口している。
【０００７】
支持線押出孔３１とケーブル押出孔３２とは互いに平行に延びているが、これら両者を連通させる断面が長方形の空間、つまり連結部押出孔３３が穿設され、その連結部押出孔３３を閉塞するように先端が同じ断面形状を有する遮蔽ブロック４が各押出孔の延びる方向に直交する方向に進退自在に設けられる。
【０００８】
遮蔽ブロック４の進退駆動をおこなう要素は例えば空気圧シリンダのような適宜の流体圧シリンダであって、図示していないがこれに圧力流体を送給し、あるいはこれを回収するために適宜の電磁開閉弁が設けられ、この電磁開閉弁は前述した周期によって励磁、消磁が繰り返される。
【０００９】
遮蔽ブロック４が図２で右方に引退して連結ブロック押出孔３３が開くときは支持線１Ａとケーブル１Ｂとの間には開放期間の長さに比例する長さの連結部１Ｃが押し出され、これら両線条体１Ａ，１Ｂとは互いに連結される。
【００１０】
もちろんこの時、両線条体１Ａ，１Ｂとは互いに同等の速度をもって進行していなければならない（そうでなければ押出中あるいは直後、冷却槽６に入ったばかりでまだ固化していない連結部１Ｃは引きちぎられてしまうから）。この意味で連結部押出孔３３の開放期間中は両線条体１Ａ，１Ｂのクロスヘッド３への送り込み速度を等しく保持する工程は重要である。
【００１１】
しかして図１に示した本発明の一例である自己支持型ケーブルでは、連結部１Ｃが形成されて連結部押出孔３３が閉塞された後の適宜長さの期間、ケーブル１Ｂのクロスヘッド３への送り込み速度を適宜上昇させることによって図１に明示したようにケーブル１Ｂの長さ方向のたるみが形成されるわけである。
【００１２】
【発明の効果】
この発明の並行線条体の押出成形方法、特に並行する２本の線条体を押出被覆しつつこの両線の間に、長手方向に適宜間隔をもって連結部を間欠的に押出成形する場合においては、ここに述べた両線条体の間を連通させる連結部押出孔を間欠的に開閉する工程によって外観のよい、寸法的にも揃ったすぐれた押出成形品が得られる効果がある。
【図面の簡単な説明】
【図１】この発明の方法を実施するための装置例を示す斜視図である。
【図２】本発明に使用するクロスヘッドの正面図である。
【符号の説明】
１  自己支持型ケーブル
１Ａ  支持線
１Ｂ  ケーブル
１Ｃ  連結部
１１  窓部
２  押出機
３  クロスヘッド
３１  支持線押出孔
３２  ケーブル押出孔
３３  連結部押出孔
４  遮蔽ブロック
５  流体圧シリンダ
６  冷却槽
【図１】
0003731989.tif 000002
【図２】
0003731989.tif 000003
(57)【特許請求の範囲】
【請求項１】
ドコサヘキサエン酸およびエイコサペンタエン酸を有効成分として０．１〜５．０ｇ／頭／日を含有する家庭で飼育される痴呆の犬の夜鳴き改善薬。
【発明の詳細な説明】
【０００１】
本発明は、ドコサヘキサエン酸およびエイコサペンタエン酸を有効成分として含有する痴呆の犬の夜鳴き改善薬に関するものである。
【０００２】
【従来の技術】
近年統計上からみても犬をはじめとする伴侶動物の高齢化が確認され、家庭で飼育されている伴侶動物にも高齢化に伴ういろいろな疾患が問題となってきている。その中でも一番問題になっているのが、犬の異常な行動である。そしてそれらの犬は、人の痴呆と類似症状を示すことから犬のボケと呼ばれている。これらの犬は、家庭での飼育には人手と時間がかかり、かつ異常な鳴き声を発するので隣人に気を使ったり、真夜中の放浪で飼主が睡眠不足になり精神的・肉体的負担が多くなり、伴侶動物と飼主とのＱＯＬが逆に崩れてしまう現象が起きている。しかし、これまで犬や猫などに対して人と同様な脳機能改善、痴呆予防および痴呆治療の検討はなされていない。
【０００３】
本発明は、従来、痴呆症状を呈した場合、そのまま放置されていた、もしくは飼主の意向により安楽死をとらされていた伴侶動物である犬の夜鳴き症状を改善する薬を提供することにある。
【０００４】
本発明者らは上記課題を解決すべく研究を重ねた結果、ドコサヘキサエン酸およびエイコサペンタエン酸を伴侶動物である痴呆症状の犬に投与することにより、夜鳴きの改善に優れた効果があることを見出し、本発明を完成するに至った。
【０００５】
【発明の実施の形態】
本発明においては使用されるドコサヘキサエン酸およびエイコサペンタエン酸は遊離酸をはじめ、その塩、エステル、グリセリド、リン脂質、コリン化合物、アスコルビン酸化合物、アミノ酸化合物等のいずれでもよい。
【０００６】
投与経路については、経口投与及び注射投与などが考えられるが、コスト、簡便性、安全性等より経口投与が好ましい。経口投与される剤形には、錠剤、散剤、シロップ剤、液剤、ソフトカプセル剤、アンプル剤等がある。
【０００７】
ドコサヘキサエン酸およびエイコサペンタエン酸の投与量は、犬の体重により異なるが、０.１〜５.０ｇ/頭/日で、好ましくは０.２〜２.０ｇ/頭/日である。投与期間は、夜鳴き症状の重篤度などによって異なるが、２〜４週間が目安となる。
【０００８】
伴侶動物とは、人に親しく飼われている犬や猫などの哺乳動物をいう。
【０００９】
【実施例】
以下、本発明を実施例により詳細に説明するが、これらは単なる例示であって、これらにより本発明の範囲が限定されるものではない。
【００１０】
試験例１：犬の痴呆に対するドコサヘキサエン酸エチルエステルの治療効果試験
痴呆症状を示す１８歳の雑種犬に対し、アンプルに封入して−２０℃で保存されたドコサヘキサエン酸エチルエステルを０．５ｇ／頭／日を２週間経口投与した。効果判定は内野富弥らにより考案された痴呆症の診断基準（第２案）〔１００点法〕（表１）に基づいて判定した。
【表１】
0003731983.tif 000002
【００１１】
診断基準に基づき、結果を表２に示す。
【表２】
0003731983.tif 000003
投与前のスコアは８１点、特に問題項目は鳴き声であったが、投与後鳴き声は著明な改善が見られ３日目にはかなりよくなり、２週間目には正常までに回復し、著効と判定された。
【００１２】
試験例２：犬の痴呆に対するエイコサペンタエン酸エチルエステルの治療効果試験
痴呆症状を示す１６歳のプードル犬に対し、アンプルに封入して−２０℃で保存されたエイコサペンタエン酸エチルエステルを０．５ｇ／頭／日を２３日間経口投与した。効果判定は、試験例１と同様に内野富弥らにより考案された痴呆症の診断基準（第２案）〔１００点法〕（表１）に基づいて判定した。
【００１３】
診断基準に基づき、結果を表３に示す。
【表３】
0003731983.tif 000004
投与前のスコアは９０点、特に問題となった項目は夜中に鳴き出すことであり、その他に感情の表出、相互関係及び総合判断も最高得点であり、重度の痴呆であった。投与開始２週間後にこれらの所見は劇的に改善され、スコア合計は漸次減少し、２３日目には４６点以下に低下し、著効と判定された。
【００１４】
試験例３：犬の痴呆に対するエイコサペンタエン酸エチルエステルの治療効果試験
痴呆症状を示す１７歳のポメラニアン犬に対し、アンプルに封入して−２０℃で保存されたエイコサペンタエン酸エチルエステルを１．０ｇ／頭／日を１５日間経口投与した。効果判定は、試験例１と同様に内野富弥らにより考案された痴呆症の診断基準（第２案）〔１００点法〕（表１）に基づいて判定した。
【００１５】
診断基準に基づき、結果を表４に示す。
【表４】
0003731983.tif 000005
投与前のスコアは８７点、特に問題となった項目は鳴き声であり、投与開始１週間後からこの症状は改善され、スコア合計は漸次減少し、２週間目には７０点まで低下し、有効と判定された。
【００１６】
試験例４：犬の痴呆に対するエイコサペンタエン酸エチルエステルの予防効果試験
痴呆予備軍と判定された１４歳の雑種犬に対し、アンプルに封入して−２０℃で保存されたエイコサペンタエン酸エチルエステルを１．０ｇ／頭／日を２３日間経口投与した。効果判定は、試験例１と同様に内野富弥らにより考案された痴呆症の診断基準（第２案）〔１００点法〕（表１）に基づいて判定した。
【００１７】
診断基準に基づき、結果を表５に示す。
【表５】
0003731983.tif 000006
投与前のスコアは４９点、特に問題となった項目は鳴き声であり、投与後からこの症状は改善され、スコアは漸次減少、またその他の項目も改善がみられ、スコア合計は２５点まで低下し、有効と判定された。
【００１８】
【発明の効果】
本発明に従えば、ドコサヘキサエン酸および／またはエイコサペンタエン酸を痴呆症状を呈する、または高齢の伴侶動物に対し投与することにより、食欲、生活リズム、夜鳴き、旋回運動、排泄状態、感覚異常、姿勢、感情表出及び相互関係などを改善することができ、伴侶動物の脳機能改善、痴呆予防、痴呆治療に優れた効果を得ることができる。
(57)【特許請求の範囲】
【請求項１】
原水を通過させる穴を持ったステンレスなどの導電性物質を素材とし、間に原水だけしか存在しない電極に電流を印加して原水を流入させ、電気分解が生じる前に通過させ、ついで活性炭を充填した水路に通過させて、原水中に含まれる物質を除去することを特徴とする浄水方法。
【発明の詳細な説明】
【０００１】
【発明の属する分野】
この発明は、原水を電場に通過させ、活性炭を用いて浄水する方法及び装置に関する。
【０００２】
【従来の技術】
従来は、活性炭などの浄化材に原水を直線状の水路に流通させ活性炭の吸着だけに頼っていた。
【０００３】
あるいは懸濁物質を電気分解によってＨ２Ｏから分離させるものであった。
【０００４】
【発明が解決しようとする課題】
しかしながら、このような活性炭の吸着性、電気分解では充分な浄水が出来ず汚染水系から直接飲料水に適した水を作ることは困難であった。
【０００５】
また、直線状の水路では、「水みち」と称される水の通路が出来、充分な浄水を困難にしていた。
【０００６】
この発明は、原水に電流を印加した後、活性炭が充填された８字型水路に原水を流通させることで、原水中に含まれる天然・人工、有機・無機、分解性・難分解性物質を飲料水に適する濃度まで除去出来るようにした浄水方法及び装置を普及させることを目的とする。
【０００７】
【課題を解決するための手段】
請求項１の発明は、活性炭が有する物理及び化学的な吸着力を著しく高めるために、図１に示した原水だけしか存在しない電極▲１▼、▲２▼間を流れる原水に電流を印加し電気分解が生じる前に、活性炭が充填された水路に流入させることとした。
【０００８】
【発明の作用】
電流が印加された原水中のＨ２Ｏ、懸濁物質粒子は、電場を通過することで電離、帯電される。
【０００９】
帯電された原水が活性炭の表面（細孔壁表面も含む）を通過していく過程で、電荷を帯びた懸濁物質粒子は活性炭に吸着されていく。
【００１０】
加えて、活性炭の広い表面積と８字型活性炭水路によってＨ２Ｏから懸濁物質は連続解離し活性炭に吸着し続け、浄水されたＨ２Ｏが流出口に向かう。以上が本発明の浄水作用である。
【００１１】
【発明の実施例】
図１が、請求項１の実施例である。▲１▼▲２▼が電流を印加する電極である。この電極はステンレスなどの導電性物質を素材とし、水を通過させるための穴を持つ。この穴の形状、数、直径は原水水質と要求水量、要求水量によって決定される。Ａより原水が入り、Ｂより浄水された水が流出する。
【００１２】
【発明の効果】
上記のような本発明の浄水方法及び浄水装置は、原水中の懸濁物質を分子レベルで活性炭表面に吸着させ、吸着種を不可逆状態にすることも可能であるため優れた浄水効果を持つ浄水装置を構成することが出来る。
【図面の簡単な説明】
【図１】本発明の基本概念を示す。
【図２】「水みち」発生を防ぎ、水路内の活性炭が全て吸着ろ過材として機能出来るようにした。同時に電場の設置例を示した。
【符号の説明】
Ａ：原水流入口
Ｂ：浄水された水の流出口
▲１▼、▲２▼：電流印加のための電極
【図１】
0003731093.tif 000002
【図２】
0003731093.tif 000003
(57)【特許請求の範囲】
【請求項１】
ハリスの先端部に、原状に復元可能な材料よりなる復元糸を添わせ、３または４個の釣り針を順次上下に配し、それぞれの釣り針の基部と前記ハリスと復元糸とを一緒にくくりつけてなる魚釣り用チラシ針。
【請求項２】
ハリスの先端部に、原状に復元可能な材料よりなる復元糸を添わせ、３または４個の釣り針の基部を約２ｃｍ以内の間隔で、順次上下に、かつ、各釣り針の先端の方向が前記ハリスに対して放射状に向くように配し、それぞれの釣り針の基部と前記ハリスと復元糸とを一緒にくくりつけてなる魚釣り用チラシ針。
【発明の詳細な説明】
【０００１】
【発明の利用分野】
この発明は魚釣り用のチラシ針に関するものである。
【０００２】
【従来の技術】
従来の魚釣り用掛けはり、特に鮎の友釣り用針で、オトリ鮎を取り付ける鼻環およびケツ針の下方に取り付ける掛け針は、図３に示すように、ハリス１の端部の同一の箇所に３個の針２、３、４をまとめてくくりつけたもの、または４個の針をまとめてくくりつけたものがある。
【０００３】
また、前記掛け針に代わるものとして、図４に示すようなチラシ針がある。
チラシ針は、ハリス１の端部に３個の針５、６、７または４個の針を間隔約３〜１０ｃｍをあけて上下に順次くくりつけている。
ハリス１はほとんどがナイロン糸である。
【０００４】
【発明が解決しょうとする課題】
従来の上記掛け針は、針２、３、４のまとまった部分すなわち基部の先端８がまとまって太くなっており、針２、３、４のいずれかが魚を引っ掛けると、先端８が魚に当たり、針が浅くしか入らず、魚が掛かりにくく、掛かっても逃げ易い問題がある。
更に、２個の針が同時にかかる場合があって、その場合に針が深く魚に入らず、魚が逃げやすい。また、先端８がまとまって太いので、水切りが悪い。
【０００５】
従来のチラシ針は、上記掛け針のように魚が掛かりにくく、また逃げ易いという問題はないが、チラシ針はケツ針から下方に長く順次針がくくりつけられているので、針が川底等に引っ掛かり易く、その場合にはオトリ鮎が泳ぎにくい。
【０００６】
また、従来のチラシ針は、各針５、６、７の針先の方向が顧慮されずに任意にハリス１にくくりつけられているので、各針の針先の方向が殆ど同じ方向に向いている場合があって、この場合には魚が掛かりにくい。
【０００７】
更に、従来のチラシ針のハリス１はほとんどがナイロン糸であって、魚が掛かると糸が曲がり、魚を外しても糸は元に戻らず、曲がったままで、ハリス１に対して針の角度が変わっていて、再び使用するときに魚が掛かりにくい場合がある。
【０００８】
この発明は、上記従来の掛け針及びチラシ針の問題を解決し、従来の掛け針のように各針をまとめてくくりつけることなく、また、従来のチラシ針のように長く伸びず、複数の針の先端方向が、ハリスに対して放射状方向に向かったチラシ針を提供し、また、魚が掛かってハリスが曲がっても、魚を外すと元の状態に戻るチラシ針を提供することを目的とする。
【０００９】
【課題を解決するための手段】
チラシ針において、ハリスの先端部に、原状に復元可能な材料よりなる復元糸を添わせ、３または４個の釣り針を順次上下に配し、それぞれの釣り針の基部と前記ハリスと復元糸とを一緒にくくりつける。
【００１０】
上記３または４個の釣り針を、基部を約２ｃｍ以内の間隔で、このましくは近接して、順次上下に、かつ、各釣り針の先端の方向が前記ハリスに対して放射状に向くように配し、それぞれの釣り針の基部と前記ハリスと復元糸とを一緒にくくりつける。
【００１１】
または、復元糸をもちいないで、ハリスの先端部に、３または４個の釣り針の基部を基部を約２ｃｍ以内の間隔で、このましくは近接して、順次上下に、かつ、各針の先端の方向が前記ハリスに対して放射状に向くようくくりつける。
【００１２】
【発明の実施の形態】
この発明に掛かるチラシ針の実施の形態を図面により説明する。
ハリス１の端部に、従来のチラシ針のように間隔を大きく開けないで、上下に近接して針１１、１２、１３を順次くくりつける。更にもう１個の針を追加して４個としてもよい。
【００１３】
各針１１、１２、１３の針先の方向はハリス１に対して矢車状すなわち放射状方向に向ける。各針１１、１２、１３の針先方向の間隔角度はほぼ等しいのが好ましいが、等しくなくてもよく、また、針３個の場合には、少なくとも６０度以下にならないようにし、好ましくは１００度以上とする。
針４本の場合には、少なくとも４５度以下にならないようにし、好ましくは８０度以上とする。
【００１４】
上記チラシ針において、ハリス１の端部に鋼、形状記憶合金、弾性プラスチック等よりなる細い糸で元の状態に戻る復元糸１５を添わせ、各針１１、１２、１３の基部とハリス１と復元糸１５とを一緒にくくりつけるのが好ましい。針１４を追加してもよい。
【００１５】
従来のチラシ針においても、ハリス１に復元糸１５を添わせ、各針５、６、７の基部とハリス１と復元糸１５とを一緒にくくりつけてもよい。
【００１６】
【発明の効果】
この発明に掛かるチラシ針は、各針がハリスの１ヶ所にまとまることなく上下に順次くくりつけられているので、従来の掛け針のように、３〜４本の針の基部がまとまって太くなった部分がないので、各針のいずれかに魚が掛かった時に、その針の基部先端が細いので、魚に当たっても滑り、針が魚に浅く掛かる恐れがなく、魚が逃げることがない。また、基部がまとまって太くなっていないので水切りがよい。
【００１７】
更に、各針が独立しているので、魚に深くかかり、魚が逃げにくい。
また、各針の間隔がせまく、特に近接している場合には、掛け針に近いが、それぞれ独立しているので、２つの針が１匹の魚にかかっても、従来の掛け針のように浅くかかるおそれがなく、魚に深くかかり、魚が逃げにくい。
【００１８】
各針が上下に間隔がせまく、近接し、ハリスに順次くくりつけられているので、従来のチラシ針のように長くならない。従って、川底等に引っ掛かる恐れが非常に少ない。従って、鮎の友釣りにもちいた場合には、オトリ鮎が泳げなくなるおそれが少ない。
【００１９】
また、各針の先端がハリスに対して放射状方向に向いているので、各方向から接近して来る魚に引っ掛かり易い。
【００２０】
復元糸を添わせて針をくくりつけたチラシ針は、魚が掛かって曲がったハリスは、魚を外すと元の真っ直ぐな状態に戻り、再び釣りに使用した場合に、針の状態が元に戻っており、魚が掛かり難くなることがない。
【図面の簡単な説明】
【図１】この発明に係るチラシ針の、（Ａ）は側面図、（Ｂ）は平面図である。
【図２】この発明に係るチラシ針の他の実施の形態の側面図である。
【図３】従来の掛け針の、（Ａ）は側面図、（Ｂ）は平面図である。
【図４】従来のチラシ針の側面図である。
【符号の説明】
１  ハリス
２、３、４  針
５、６、７  針
８  基部の先端
１１、１２、１３、１４  針
１５  復元糸
【図１】
0003731770.tif 000002
【図２】
0003731770.tif 000003
【図３】
0003731770.tif 000004
【図４】
0003731770.tif 000005
(57)【特許請求の範囲】
【請求項１】
車椅子の背もたれに沿って長尺の案内部材を設け、該案内部材に摺動自在に棒状体を設け、エスカレータのステップに設けられた穴に前記棒状体の先端が嵌入することを特徴とするエスカレータ対応車椅子。
【請求項２】
前記案内部材は、中空のさやであることを特徴とする請求項１に記載のエスカレータ対応車椅子。
【発明の詳細な説明】
【０００１】
【発明の属する技術分野】
本発明は、エスカレータの利用が可能な車椅子に関するものである。
【０００２】
【従来の技術】
従来の車椅子ではエスカレータのステップの奥行き寸法が足りないために、水平状態で乗ることができなかった。
【０００３】
【発明が解決しょうとする課題】
これまでは、エスカレータの方で、車椅子が水平状態で乗れる寸法の奥行きが生ずるように特殊なエスカレータを製作し、現場に据え付けていたため、コストが嵩み普及しにくかった。
【０００４】
本発明は、上記の点に鑑みなされたもので、エスカレータ及び車椅子への変更・改造がほとんど負担にならない装置を提供することを目的とする。
【０００５】
【課題を解決するための手段】
本発明は、車椅子の背もたれに沿って長尺の案内部材を設け、該案内部材に摺動自在に棒状体を設け、エスカレータのステップに設けられた穴に前記棒状体の先端が嵌入するものである。
【０００６】
【発明の実施の形態】
本発明は、エスカレータのステップに係合する棒状体を車椅子に備えるものである。
【０００７】
【実施例】
以下、本発明の一実施例について、図面を用いて説明する。
図１は、本発明に係る車椅子の全体図、図２はエスカレータ利用時の車椅子の状態を示す図である。
【０００８】
図中、１０は車椅子本体、１１は前輪、１２は後輪、１３は押し手、１４は背もたれであり、２０は背もたれ１４に沿って設けられた長尺で中空のさや２１の中を貫通案内されて上下方向に移動自在に取り付けられた落下防止棒である。
【０００９】
一方、３０はエスカレータの通常のステップで、３１は落下防止棒２０の先端を嵌入できる穴３１ａを有するステップである。
【００１０】
したがって、エスカレータを利用しない場合は、落下防止棒２０を上方に引き上げた図１の状態にしておけば、全く通常の車椅子と同様に取り扱うことができる一方、エスカレータを利用するときには、この落下防止棒２０の先端をステップ３１の穴３１ａに挿入するようにすれば、図２に示すように例えステップの奥行きが車椅子１０の全長よりも短くても水平状態を維持したままエスカレータを利用できるものである。
【００１１】
【発明の効果】
以上述べたように本発明によれば、車椅子に対しては簡単な装置を追加するだけで、又、エスカレータ側には少なくとも一つのステップについてだけ穴を設けるだけでよいため、極めて安価に済ませることができ、車椅子使用者の活動範囲も飛躍的に広めることが可能となる。
【図面の簡単な説明】
【図１】本発明に係る車椅子の全体図である。
【図２】エスカレータ利用時の車椅子の状態を示す図である。
【符号の説明】
１０  車椅子本体
１４  背もたれ
２０  落下防止棒
３０、３１  ステップ
３１ａ  ステップ３１の穴
【図１】
0003731374.tif 000002
【図２】
0003731374.tif 000003